(57)【要約】【課題】移動体通信端末装置を通して商品を販売する通信販売システムにおいて、利用者が商品を注文する前に、利用する場面の模擬画像や適合性の数値を利用者に見せ、また、利用者が移動体通信端末装置から相談員を呼びだし自分への商品の適合性を相談可能にする。【解決手段】通信販売の利用者のデータを予め登録し、利用者が商品を特定する前に適合性確認手段を通して利用者と商品の適合性を確認可能にする。また、移動体通信端末装置２０から相談員を呼出し可能にし、相談員と移動体通信端末装置２０との間の通話により利用者が商品が自分に相応しいか否かを相談員に相談可能とする。また、移動体通信端末装置２０を通して、注文した商品を受け取る錠付き戸棚７０の利用条件を設定可能にする。【選択図】　　　図１
2004021485.tif 000002
【特許請求の範囲】
【請求項１】
移動体通信端末装置を通して商品を販売する通信販売システムであって、商品を利用する利用者のデータを登録するデータ登録手段と、前記データ登録手段によって予め登録されたデータを用いて前記利用者が商品に適合するか否かを確認する適合性確認手段とを備え、前記移動体通信端末装置を通して注文する商品を特定する前に前記適合性確認手段を通して商品の適合性を確認できるように構成したことを特徴とする通信販売システム。
【請求項２】
請求項１に記載の通信販売システムにおいて、前記データ登録手段によって予め登録されたデータを用いて前記利用者が商品を利用する場面を模擬的に画像化する模擬的画像化手段と、前記模擬的画像化手段によって作成された画像を前記移動体通信端末装置の表示部に表示する画像表示手段とを更に備え、前記移動体通信端末装置を通して商品を注文する前に前記画像表示手段によって表示された前記利用者が商品を利用する場面の模擬的画像を見て前記商品が前記利用者に相応しいか否かを確認できるように構成したことを特徴とする通信販売システム。
【請求項３】
請求項２に記載の通信販売システムにおいて、前記表示部の中に呼出ボタンを設け、前記呼出ボタンをクリックすることによって相談員と前記移動体通信端末装置との間に通話路を設定する通話路設定手段を設け、前記通話路設定手段によって設定された通話路を通して前記商品が前記利用者に相応しいか否かを前記相談員に問い合わせることができるように構成したことを特徴とする通信販売システム。
【請求項４】
移動体通信端末装置を通して商品を販売する通信販売システムであって、前記移動体通信端末装置に設けた操作部を用いて商品を注文する商品注文手段と、錠付き戸棚を経由して商品を受け渡す商品受渡手段とを備え、前記商品注文手段と注文した商品を前記商品受渡手段を通して受け渡す錠付き戸棚の利用条件の特定を前記操作部を用いて一体的に操作可能となるように構成したことを特徴とする通信販売システム。
【請求項５】
請求項４に記載の通信販売システムにおいて、更に、商品の広告並びに宣伝を行う画像表示装置を設け、前記画像表示装置に前記錠付き戸棚の施錠並びに解錠を行う繰り返し書き換え可能な非接触型ＩＣカードの読み取り口を設け、前記読み取り口で読み取った前記ＩＣの識別コードから対応する移動体通信端末装置へメール送信または通話を可能にする手段を更に備えていることを特徴とする通信販売システム。
【請求項６】
請求項５に記載の通信販売システムにおいて、ＩＣカードの前記読み取り口で読み取った同じ時刻に前記画像表示装置に表示中の広告並びに宣伝中の商品を中心にその前後の商品リストを前記移動体端末装置へ送信する手段と前記商品リストをスクロールし目的の商品を選択する手段を備えていることを特徴とする通信販売システム。
【請求項７】
請求項６に記載の通信販売システムにおいて、前記商品リストの代わりに前記画像表示装置で表示する画像の縮小版を送信する手段を更に備えていることを特徴とする通信販売システム。
【請求項８】
請求項２に記載の通信販売システムにおいて、前記模擬的画像化手段は、前記商品の画像データと、前記移動体通信端末装置に取りこまれた利用者側の画像データとを合成して表示させる機能を備えていることを特徴とする通信販売システム。
【請求項９】
請求項４に記載の通信販売システムにおいて、前記商品受渡手段は、前記戸棚を解錠して商品を格納し施錠する商品受取手段と、利用者が前記戸棚の解錠又は透視により注文した商品の現品確認を行う現品確認手段と、現品確認した商品を返品する商品返品手段とを備えていることを特徴とする通信販売システム。
【請求項１０】
コンピュータを移動体通信端末装置を通して商品を販売するための通信販売システムとして機能させるためのプログラムであって、商品を利用する利用者のデータを登録するデータ登録手段と、前記データ登録手段によって予め登録されたデータを用いて前記利用者が商品に適合するか否かを確認する適合性確認手段として機能させるとともに、前記移動体通信端末装置を通して注文する商品を特定する前に前記適合性確認手段を通して商品の適合性を確認できるように機能させるための通信販売プログラム。
【請求項１１】
請求項１０に記載の通信販売プログラムにおいて、前記データ登録手段によって予め登録されたデータを用いて前記利用者が商品を利用する場面を模擬的に画像化する模擬的画像化手段と、前記模擬的画像化手段によって作成された画像を前記移動体通信端末装置の表示部に表示する画像表示手段として機能させるとともに、前記移動体通信端末装置を通して商品を注文する前に前記画像表示手段によって表示された前記利用者が商品を利用する場面の模擬的画像を見て前記商品が前記利用者に相応しいか否かを確認できるように機能させるための通信販売プログラム。
【請求項１２】
請求項１１に記載の通信販売プログラムにおいて、前記表示部の中に呼出ボタンを設け、前記呼出ボタンをクリックすることによって相談員と前記移動体通信端末装置との間に通話路を設定する通話路設定手段を設け、前記通話路設定手段によって設定された通話路を通して前記商品が前記利用者に相応しいか否かを前記相談員に問い合わせることができるように機能させるための通信販売プログラム。
【請求項１３】
コンピュータに移動体通信端末装置を通して商品を販売する通信販売システムとして機能させるためのプログラムであって、更に、前記移動体通信端末装置に設けた操作部を用いて商品を注文する商品注文手段と、錠付き戸棚を経由して商品を受け渡す商品受渡手段として機能させるとともに、前記商品注文手段と注文した商品を前記商品受渡手段を通して受け渡す錠付き戸棚の利用条件の特定を前記操作部を用いて一体的に操作可能となるように機能させるための通信販売プログラム。
【請求項１４】
請求項１３に記載の通信販売プログラムにおいて、更に、商品の広告並びに宣伝を行う画像表示装置を設け、前記画像表示装置に前記錠付き戸棚の施錠並びに解錠を行う繰り返し書き換え可能な非接触型ＩＣカードの読み取り口を設けた時に、前記読み取り口で読み取った前記ＩＣの識別コードから対応する移動体通信端末装置へメール送信または通話を可能にする手段として機能させるための通信販売プログラム。
【請求項１５】
請求項１４に記載の通信販売プログラムにおいて、ＩＣカードの前記読み取り口で読み取った同じ時刻に前記画像表示装置に表示中の広告並びに宣伝中の商品を中心にその前後の商品リストを前記移動体端末装置へ送信する手段と前記商品リストをスクロールし目的の商品を選択する手段として機能させるための通信販売プログラム。
【請求項１６】
請求項１５に記載の通信販売プログラムにおいて、更に、前記商品リストの代わりに前記画像表示装置で表示する画像の縮小版を送信する手段として機能させるための通信販売プログラム。
【請求項１７】
請求項１１に記載の通信販売プログラムにおいて、前記模擬的画像化手段を前記商品の画像データと、前記移動体通信端末装置に取りこまれた利用者側の画像データとを合成して表示させる機能させるための通信販売プログラム。
【請求項１８】
請求項１３に記載の通信販売プログラムにおいて、前記商品受渡手段を、前記戸棚を解錠して商品を格納し施錠する商品受取手段と、利用者が前記戸棚の解錠又は透視により注文した商品の現品確認を行う現品確認手段と、現品確認した商品を返品する商品返品手段として機能させるための通信販売プログラム。
【発明の詳細な説明】
【０００１】
【発明の属する技術分野】
本発明は、移動体通信装置又は携帯端末装置を用いた通信販売システムとコンピュータを通信販売システムとして機能させるためのプログラムとに関する。
【０００２】
【従来の技術】
従来の通信販売システムでは、利用者が商品を注文するときは、商品のカタログやインターネットのホームページ等の説明文や写真にて商品がどんなものであるかをイメージし、自分に相応しい商品であるかを推定していた。
【０００３】
【発明が解決しようとする課題】
通信販売システムにおいて、利用者が商品を注文するとき、商品のカタログやインターネットのホームページ等の説明文や写真にて商品がどんなものかイメージするだけでなく、利用者が商品を注文する前に、自分が商品を利用する場面の模擬画像を用いて自分に相応しい商品であるかをより正確に確認可能にすること、また、商品を注文する前に移動体通信端末装置から相談員を呼びだして自分への商品の適合性を相談可能にすること、また、注文した商品を非接触型ＩＣカードを用いて施錠、または、解錠する錠付き戸棚を経由して現品確認を可能にする手段、商品を受け取り可能にする手段、商品を返品可能にする手段が求められていた。
【０００４】
そこで、本発明の第１の技術的課題は、通信販売の利用者のデータを予め登録し、利用者が商品を特定する前に適合性確認手段を通して利用者と商品の適合性を確認可能にする手段を備えた通信販売システムを提供することにある。
【０００５】
また、本発明の第２の技術的課題は、前記の適合性確認を、利用者が商品を利用する場面を模擬的に画像化して移動体通信端末装置へ送信して表示させ、利用者が模擬的画像を見ることによって商品が自分に相応しいか否かを確認可能にする手段を備えた通信販売システムを提供することにある。
【０００６】
また、本発明の第３の技術的課題は、前記の移動体通信端末装置の表示の中に相談員呼出ボタンを設け、相談員呼出ボタンをクリックすることによって相談員と移動体通信端末装置との間に通話路を設定し、利用者が商品が自分に相応しいか否かを相談員に問い合わせ可能とする手段を備えた通信販売システムを提供することにある。
【０００７】
また、本発明の第４の技術的課題は、商品の注文に使用する移動体通信端末装置を通して、注文した商品の現品確認、受け取り、返品する場所としての錠付き戸棚の利用条件を設定可能にする手段を備えた通信販売システムを提供することにある。
【０００８】
また、本発明の第５の技術的課題は、前記の錠付き戸棚に商品の広告宣伝を行う画像表示装置を設け、非接触型ＩＣカードを用いて錠付き戸棚の施錠、または、解錠を行ったとき、非接触型ＩＣカードの識別コードに対応する電子メールアドレス、または、電話番号の移動体通信端末装置へ電子メール送信、または、通話を可能にする手段を備えた通信販売システムを提供することにある。
【０００９】
また、本発明の第６の技術的課題は、非接触型ＩＣカードを用いて錠付き戸棚の施錠、または、解錠を行なったとき、画像表示装置に広告宣伝を表示中の商品を中心にその前後の商品リストを移動体通信端末装置へ送信し、商品リストをスクロールして見られる手段が求められている。また、商品リストの代わりに画像表示装置で表示する画像の縮小版を移動体通信端末装置へ送信し表示させる手段を備えた通信販売システムを提供することにある。
【００１０】
また、本発明の第７の技術的課題は、コンピュータを前記通信販売システムとして機能させるための通信販売プログラムを提供することにある。
【００１１】
【課題を解決するための手段】
本発明によれば、移動体通信端末装置を通して商品を販売する通信販売システムであって、商品を利用する利用者のデータを登録するデータ登録手段と、前記データ登録手段によって予め登録されたデータを用いて前記利用者が商品に適合するか否かを確認する適合性確認手段とを備え、前記移動体通信端末装置を通して注文する商品を特定する前に前記適合性確認手段を通して商品の適合性を確認できるように構成したことを特徴とする通信販売システムが得られる。
【００１２】
また、本発明によれば、前記通信販売システムにおいて、前記データ登録手段によって予め登録されたデータを用いて前記利用者が商品を利用する場面を模擬的に画像化する模擬的画像化手段と、前記模擬的画像化手段によって作成された画像を前記移動体通信端末装置の表示部に表示する画像表示手段とを更に備え、前記移動体通信端末装置を通して商品を注文する前に前記画像表示手段によって表示された前記利用者が商品を利用する場面の模擬的画像を見て前記商品が前記利用者に相応しいか否かを確認できるように構成したことを特徴とする通信販売システムが得られる。
【００１３】
また、本発明によれば、前記通信販売システムにおいて、前記表示部の中に呼出ボタンを設け、前記呼出ボタンをクリックすることによって相談員と前記移動体通信端末装置との間に通話路を設定する通話路設定手段を設け、前記通話路設定手段によって設定された通話路を通して前記商品が前記利用者に相応しいか否かを前記相談員に問い合わせることができるように構成したことを特徴とする通信販売システムが得られる。
【００１４】
また、本発明によれば、移動体通信端末装置を通して商品を販売する通信販売システムであって、前記移動体通信端末装置に設けた操作部を用いて商品を注文する商品注文手段と、錠付き戸棚を経由して商品を受け渡す商品受渡手段とを備え、前記商品注文手段と注文した商品を前記商品受渡手段を通して受け渡す錠付き戸棚の利用条件の特定を前記操作部を用いて一体的に操作可能となるように構成したことを特徴とする通信販売システムが得られる。
【００１５】
また、本発明によれば、前記通信販売システムにおいて、更に、商品の広告並びに宣伝を行う画像表示装置を設け、前記画像表示装置に前記錠付き戸棚の施錠並びに解錠を行う繰り返し書き換え可能な非接触型ＩＣカードの読み取り口を設け、前記読み取り口で読み取った前記ＩＣの識別コードから対応する移動体通信端末装置へメール送信または通話を可能にする手段を更に備えていることを特徴とする通信販売システムが得られる。
【００１６】
また、本発明によれば、前記通信販売システムにおいて、ＩＣカードの前記読み取り口で読み取った同じ時刻に前記画像表示装置に表示中の広告並びに宣伝中の商品を中心にその前後の商品リストを前記移動体端末装置へ送信する手段と前記商品リストをスクロールし目的の商品を選択する手段を備えていることを特徴とする通信販売システムが得られる。
【００１７】
また、本発明によれば、前記通信販売システムにおいて、前記商品リストの代わりに前記画像表示装置で表示する画像の縮小版を送信する手段を更に備えていることを特徴とする通信販売システムが得られる。
【００１８】
また、本発明によれば、前記通信販売システムにおいて、前記模擬的画像化手段は、前記商品の画像データと、前記移動体通信端末装置に取りこまれた利用者側の画像データとを合成して表示させる機能を備えていることを特徴とする通信販売システムが得られる。
【００１９】
また、本発明によれば、前記通信販売システムにおいて、前記商品受渡手段は、前記戸棚を解錠して商品を格納し施錠する商品受取手段と、利用者が前記戸棚の解錠又は透視により注文した商品の現品確認を行う現品確認手段と、現品確認した商品を返品する商品返品手段とを備えていることを特徴とする通信販売システムが得られる。
【００２０】
また、本発明によれば、コンピュータを移動体通信端末装置を通して商品を販売するための通信販売システムとして機能させるためのプログラムであって、商品を利用する利用者のデータを登録するデータ登録手段と、前記データ登録手段によって予め登録されたデータを用いて前記利用者が商品に適合するか否かを確認する適合性確認手段として機能させるとともに、前記移動体通信端末装置を通して注文する商品を特定する前に前記適合性確認手段を通して商品の適合性を確認できるように機能させるための通信販売プログラムが得られる。
【００２１】
また、本発明によれば、前記通信販売プログラムにおいて、前記データ登録手段によって予め登録されたデータを用いて前記利用者が商品を利用する場面を模擬的に画像化する模擬的画像化手段と、前記模擬的画像化手段によって作成された画像を前記移動体通信端末装置の表示部に表示する画像表示手段として機能させるとともに、前記移動体通信端末装置を通して商品を注文する前に前記画像表示手段によって表示された前記利用者が商品を利用する場面の模擬的画像を見て前記商品が前記利用者に相応しいか否かを確認できるように機能させるための通信販売プログラムが得られる。
【００２２】
また、本発明によれば、前記通信販売プログラムにおいて、前記表示部の中に呼出ボタンを設け、前記呼出ボタンをクリックすることによって相談員と前記移動体通信端末装置との間に通話路を設定する通話路設定手段を設け、前記通話路設定手段によって設定された通話路を通して前記商品が前記利用者に相応しいか否かを前記相談員に問い合わせることができるように機能させるための通信販売プログラムが得られる。
【００２３】
また、本発明によれば、コンピュータに移動体通信端末装置を通して商品を販売する通信販売システムとして機能させるためのプログラムであって、更に、前記移動体通信端末装置に設けた操作部を用いて商品を注文する商品注文手段と、錠付き戸棚を経由して商品を受け渡す商品受渡手段として機能させるとともに、前記商品注文手段と注文した商品を前記商品受渡手段を通して受け渡す錠付き戸棚の利用条件の特定を前記操作部を用いて一体的に操作可能となるように機能させるための通信販売プログラムが得られる。
【００２４】
また、本発明によれば、前記通信販売プログラムにおいて、更に、商品の広告並びに宣伝を行う画像表示装置を設け、前記画像表示装置に前記錠付き戸棚の施錠並びに解錠を行う繰り返し書き換え可能な非接触型ＩＣカードの読み取り口を設けた時に、前記読み取り口で読み取った前記ＩＣの識別コードから対応する移動体通信端末装置へメール送信または通話を可能にする手段として機能させるための通信販売プログラムが得られる。
【００２５】
また、本発明によれば、前記通信販売プログラムにおいて、ＩＣカードの前記読み取り口で読み取った同じ時刻に前記画像表示装置に表示中の広告並びに宣伝中の商品を中心にその前後の商品リストを前記移動体端末装置へ送信する手段と前記商品リストをスクロールし目的の商品を選択する手段として機能させるための通信販売プログラムが得られる。
【００２６】
また、本発明によれば、前記通信販売プログラムにおいて、更に、前記商品リストの代わりに前記画像表示装置で表示する画像の縮小版を送信する手段として機能させるための通信販売プログラムが得られる。
【００２７】
また、本発明によれば、前記通信販売プログラムにおいて、前記模擬的画像化手段を前記商品の画像データと、前記移動体通信端末装置に取りこまれた利用者側の画像データとを合成して表示させる機能させるための通信販売プログラムが得られる。
【００２８】
また、本発明によれば、前記通信販売プログラムにおいて、前記商品受渡手段を、前記戸棚を解錠して商品を格納し施錠する商品受取手段と、利用者が前記戸棚の解錠又は透視により注文した商品の現品確認を行う現品確認手段と、現品確認した商品を返品する商品返品手段として機能させるための通信販売プログラムが得られる。
【００２９】
【発明の実施の形態】
以下、本発明の実施の形態について図面を参照しながら説明する。
【００３０】
（第１の実施の形態）
図１は本発明の第１の実施の形態による通信販売システムの構成の説明に供せられるブロック図である。
【００３１】
図１を参照すると、本発明による通信販売システムは、通信販売制御装置１０、移動体通信端末装置２０、入出庫管理装置３０、代金決済装置４０、および、これらの装置の間の通信を可能にする通信手段２とを備えている。
【００３２】
通信販売制御装置１０は、演算処理部１４、利用者データファイル１１、商品データファイル１２、利用傾向統計データファイル１３、および、通信制御部１５を備えている。
【００３３】
演算処理部１４は、プロセッサやメモリ、および、ソフトウエアを備えて構成されている。この演算処理部１４は、利用者データファイル１１と商品データファイル１２と利用傾向統計データファイル１３へのデータ入出力とファイル内容の加工や更新、統計処理等のデータ処理を行い、また、商品を実際に購入した利用者のデータから商品の利用傾向を統計データとして算出する。また、通信制御部１５と通信網を介して他の装置と商品の販売と代金決済に関わるデータの交換を行う装置である。
【００３４】
移動体通信端末装置２０は、携帯電話、無線ＬＡＮなどの移動体通信を利用して、通信販売制御装置１０との間で電子メールの交換や音声通信を行う装置である。
【００３５】
入出庫管理装置３０は、商品の販売や仕入れを管理し、通信販売制御装置１０へ商品の在庫に関するデータを送信するとともに、通信販売制御装置１０から商品の販売に関するデータを受信し商品の出荷指示を行う装置である。
【００３６】
代金決済装置４０は、通信販売制御装置１０から送信された商品代金のデータに基づき、商品の注文指令を発信した移動体通信端末装置の利用者が指定する金融機関の預金口座から利用料金を引き落とす処理を行う装置である。
【００３７】
また、各装置間の通信手段２は電話、ＩＳＤＮ、インターネット、携帯電話、等の回線が使用される。
【００３８】
次に、図１の通信販売システムの動作について説明する。
【００３９】
図２は本発明の第１の実施の形態による通信販売システムの動作の流れの一例を示す図である。図２を参照すると、通信販売制御装置１０において、入出庫管理装置３０から通信販売する商品のデータを受信し（商品データ登録要求Ｓ１）、演算処理部１４が商品データファイル１２へ該商品のデータを登録する（商品データ登録Ｓ２）。また、通信販売制御装置１０は通信販売を利用しようとする者が移動体通信端末装置２０から送信する利用者のデータを受信し（利用者データ登録要求Ｓ３）、演算処理部１４が利用者データファイル１１へ該利用者のデータを登録する（利用者データ登録Ｓ４、登録Ｓ５）。
【００４０】
前記の商品のデータは商品の名称、商品番号、価格、販売可能な数量、選択可能なサイズ、色、製造メーカの名称等の情報を含んでいる。
【００４１】
また、利用者のデータは、利用者の移動体通信端末装置２０の電話番号、電子メールのアドレス、住所、氏名、利用者が通信販売の商品の代金決済を行うための金融機関の口座番号等の情報を含んでいる。また、利用者が情報を提供した場合は、利用者の年齢、身体のサイズ、家族構成、趣味、外出や旅行の頻度、流行に対する感性、職業、年収、所有する資産、等のプライベートな情報も含んで構成される。また、通信販売業者は前記情報に加えて、利用者が過去に通信販売で購入した商品のデータ等の情報を登録しておく（登録Ｓ５）。
【００４２】
また、通信販売制御装置１０は、通信販売が成立する都度、演算処理部１４が利用傾向統計データファイル１３を通信販売の実績データで更新する。利用傾向統計データファイル１３には、通信販売される商品ごとに、過去に通信販売された商品の数量、色や柄、また、購入した者の年齢、身体のサイズ、家族構成、趣味、外出や旅行の頻度等の統計データが含まれる。
【００４３】
消費者が、通信販売にて商品を購入しようとするとき、まず、移動体通信端末装置２０から移動体通信基地９０を介して、通信手段２によって、通信販売制御装置１０へ商品リストを要求する（商品リスト要求Ｓ６）。通信販売制御装置１０は、商品リストを要求してきた消費者が、既に、利用者データファイル１１に登録された者であるか確認し、未登録であれば、登録するように勧め、登録用の画面を移動体通信端末装置２０へ送信する。消費者が要求された項目の情報を通信販売制御装置１０へ送信すると通信販売制御装置１０は該情報の真偽を調べ、異常がなければ利用者データファイルに登録し該消費者への通信販売を可能にする。
【００４４】
通信販売制御装置１０は、商品リストを要求（商品リスト要求Ｓ６）してきた移動体通信端末装置２０へ、図３に例示するような商品リスト要求画面２１を送信し表示させる。具体的には、消費者は、移動体通信端末装置２０のこの商品リスト要求画面の中の項目を選択し商品リスト、または、商品の画像の送信要求を移動体通信端末装置２０から通信販売制御装置１０に対して行う（商品リスト要求Ｓ６）。
【００４５】
通信販売制御装置１０において、商品リスト要求（Ｓ６）を受け取った演算処理部１４は、商品データファイル１２から商品リスト読み出し（Ｓ７）、商品データファイル１２から商品リストが演算処理部１４に出力され（商品リスト出力Ｓ８）、この商品リスト又は商品の画像が演算処理部１４から、移動体通信端末装置２０へ送信され、表示される（商品リスト送信Ｓ９）。
【００４６】
消費者は該商品リストの中の商品を選択し、直ちに注文する（注文指示Ｓ１０）か、または、自分に適した商品であるかの判定を通信販売制御装置１０へ要求する（商品選択Ｓ１０´）。
【００４７】
消費者が直ちに商品を注文する場合は、消費者は移動体通信端末装置２０から商品番号と数量、商品の受け取り方法、代金支払い方法等を含む注文指示を通信販売制御装置１０へ送信し（注文指示Ｓ１０）、通信販売制御装置１０の演算処理部１４では、代金回収機関へ該消費者の代金支払い能力を確認する等の処理を行った後、入出庫管理装置３０へ出荷伝票の発行を指示し（出荷指示Ｓ１１）、入出庫管理装置３０では、出荷伝票を発行（出荷伝票発行Ｓ１２）する。
【００４８】
また、通信販売制御装置１０は商品データファイル１２中の該商品の残数を更新し、利用者データファイル１１中の該消費者のデータに今回の販売実績データを追加（利用者データ追加Ｓ１３）し、登録する（データ追加更新Ｓ１４）。
【００４９】
また、通信販売制御装置１０は、利用傾向統計データファイル中の該商品の販売実績データに今回の販売実績データを追加し、過去に通信販売された商品の数量、色や柄、また、購入した者の年齢、身体のサイズ、家族構成、趣味、外出や旅行の頻度等のデータを追加更新する（データ追加更新Ｓ１４）。
【００５０】
また、消費者が直ちに商品を注文せずに、商品が自分に適した商品であるかの判定を通信販売制御装置１０へ依頼する場合は、消費者は前記の商品リストから商品を選択し（商品選択Ｓ１０´）、かつ、適合性判定を選択し、移動体通信端末装置２０から通信販売制御装置１０へ前記選択情報を送信する。通信販売制御装置１０は、演算処理部１４において、受信した前記選択情報に基づいて、適合性評価用のデータファイル１３に利用傾向統計データに基づく適合性データ要求をし（ｓ１１´）、利用傾向統計データファイル１３の中の該商品番号のデータと利用者データファイル１１の中の年齢、身体のサイズ、家族構成、趣味、外出や旅行の頻度、流行に対する感性、職業、年収、所有する資産、等のデータを読み出し（適合性データ読出しＳ１２´）と照合し、項目ごとに利用者のデータが利用傾向統計データファイル１３のデータの分布の中心値から偏差している度合を算出する（適合性判定Ｓ１３´）。前記のデータの分布は、通信販売制御装置１０が販売の成立の都度、購入した人の年齢、身体のサイズ、家族構成、趣味等のデータを利用傾向統計データファイル１３の中に蓄積し統計的に商品ごとの購入者の傾向を集計する。ある商品に対する購入者の傾向は図４に例示するように、購入者の年齢に対する販売数量の分布で表わされる。利用者からの商品に対する適合性の判定依頼の回答は、前記の販売数量の分布の曲線を画像で移動体通信端末装置２０へ送信し知らせる（適合性判定値送信Ｓ１４′）。そのとき、販売実績は実際の販売数量の絶対値を示してもよいが、絶対値は入れずに数量の変化の傾向のみを表示するようにしてもよい（適合性判定値表示）。利用者は売り手の意志の入らない客観的な統計情報により商品購入者の傾向を知ることが出来る。また、売り手の意志の入らない客観的な統計情報の開示は通信販売システムの信用を高めることにもなり売り手側にも利する。また、前記の利用傾向統計データに基づく適合性評価用データの示し方は、分布曲線の画像の代わりに分布の中心からの偏差の程度を○、△等の記号で表しても良く、商品データファイルから該商品番号の商品が過去に何個販売されたかを示す数値、または、売れ行きの程度を表す記号を引き出し移動体通信端末装置２０へ送信し消費者に知らせるようにしてもよい。前記の利用傾向統計データに基づく適合性評価用データの示し方によれば、消費者は、自分が選択した商品が、どのような他人に受け入れられているかを売り手の意志の入らない客観的情報として知ることが出来、従来の通信販売システムで行われていた、売り手がどのような考え方で決めたか明らかでない適合性評価の方法による判定では持てなかった信頼感を持って他人の購入傾向をもとに、選択した商品が自分に適合するかを自身で判断することが出来る。
【００５１】
図４は利用者の年齢のデータが利用傾向統計データファイル１３のデータの分布の中心値からから偏差している程度を例示しており、自分が選択した商品を購入した人の年齢の分布に対して、自分の年齢がどの程度偏差しているかを○、△、×等の一目で分かり易い記号等で表している。
【００５２】
図４では、自分が選択した商品をもっとも多く購入した人の年齢４０才に対して、自分の年齢４８才が年齢の分布において三段階評価で△の範囲にあり、自分が選択した商品は自分の年齢にはどちらかと言えばふさわしくなく、別の商品を捜すほうがよさそうであることが知らされる。前記の利用傾向統計データに基づく適合性評価データにより、商品を購入しようとする人は、移動体通信端末装置２０を通して注文する商品を特定する前に前記適合性確認手段を通して商品の適合性を確認可能となる。
【００５３】
図５は、通信販売制御装置１０が移動体通信端末装置２０に表示させる適合性の判定画面の一例である。図５では、利用者が選択した商品を他の人がどの程度購入しているかを商品の人気度の数値で利用者へ知らせるようにしている。
【００５４】
（第２の実施の形態）
次に、本発明の第２の実施の形態について図面を参照し説明する。
【００５５】
本発明の第２の実施の形態による通信販売システムは、本発明の第１の実施の形態で説明した通信販売システムにおいて、通信販売制御装置１０の演算処理部１４に画像データを取り扱う機能を付加して構成する。また、利用者データファイル１１、および、商品データファイル１２には、画像データを記憶させる領域を設けて構成する。
【００５６】
通信販売制御装置１０は，各データファイル１１，１２，１３に対応する記憶装置を備えたコンピュータのプログラムによって、演算処理部１４及び通信制御部１５を構成することもできる。
【００５７】
通信販売制御装置１０は、本発明の第１の実施の形態で説明した利用者データの登録時に、利用者の移動体通信端末装置２０へ利用者の個人情報として顔などの写真画像を登録可能であることを表示させ、利用者が写真画像も登録するように選択すれば、移動体通信端末装置２０が備えるカメラ等の画像入力手段を用いて利用者の顔写真や全身の写真を取り込ませ、移動体通信端末装置２０から通信販売制御装置１０へ送信させる機能を付加して構成する。また、通信販売制御装置１０には受信した前記の利用者の顔写真や全身の写真を予め画像データとして利用者データファイル１１に登録し、また、通信販売する商品の写真を予め画像データとして商品データファイルに登録する機能を付加して構成する。また、利用者データファイル１１、または、商品データファイル１２から画像データを読み出し、例えば、利用者の顔の写真に商品データファイル１２から読み出した眼鏡の画像を重ね、あたかも利用者が実際に眼鏡を着用しているように見える画像を生成する模擬的画像化手段を付加して構成する。また、生成した画像を利用者データファイルの中の利用者のデータの中に保存したり、また、通信手段を介して利用者の移動体通信端末装置２０へ送信し画像として表示させるために、前記の画像データのデータをＪＰＥＧ等の方法で圧縮する機能を付加して構成する。また、移動体通信端末装置２０には通信販売制御装置１０から受信したＪＰＥＧ等による画像の圧縮データを移動体通信端末装置２０の表示部に画像で表示させるために伸張する機能と、伸張された画像データを表示部に表示させる画像表示手段を付加して構成する。
【００５８】
利用者が、本発明による通信販売システムを利用して商品を購入しようとするときは、まず、移動体通信端末装置２０から通信販売制御装置１０へ要求し商品リストを送信させる。利用者は送信された商品リストから商品を選択し、商品を注文する前に、選択した商品が自分に相応しいか否かの適合性判定を通信販売制御装置１０へ要求する。その際に、自分が商品を利用する場面を模擬的に画像化して自分の移動体通信端末装置２０に表示して見せるようにメニュー選択等の方法で指定する。通信販売制御装置１０は受信した前記の指定に基づいて、演算処理部１４が模擬的に利用者が商品を身に付けている画像や商品を利用している場面の画像を生成し、該画像のデータを移動体通信端末装置２０へ送信し表示させる。利用者は表示された自分が商品を利用する場面の模擬的画像を見て該商品が自分に相応しいか否かを確認する。前記の画像は静止画だけでなく、動画を使用することにより、利用者が自分に商品が相応しいか否かをよりはっきりと確認可能になる。また、画像による適合性の見せ方は、通信販売制御装置１０から移動体通信端末装置２０へ眼鏡や帽子等の商品の画像のみを送信して、いったん移動体通信端末装置２０のメモリに記憶させ、利用者は後でゆっくりと移動体通信端末装置２０に備えたカメラを操作して自分の顔の画像を取り込み、移動体通信端末装置２０のソフトウエアで記憶されている商品の画像と利用者の顔の画像とを合成し移動体通信端末装置２０の表記部に表示させて見られるように通信販売制御装置１０と移動体通信端末装置２０のソフトウエアを構成する。前記の方法によれば、通信販売制御装置１０と移動体通信端末装置２０との間のデータ通信量を削減でき、利用者は、通信販売制御装置１０とはオフラインで時間を気にせず気楽に商品の選択が可能になる。
【００５９】
（第３の実施の形態）
次に本発明の第３の実施の形態について図面を参照して説明する。
【００６０】
本発明の第３の実施の形態による通信販売システムは、図１に例示するように、本発明の第２の実施の形態で説明した通信販売システムに通信手段にて情報を交換可能な相談員端末装置５０を付加して構成する。
【００６１】
図６は本発明の第３の実施の形態による通信販売システムの動作の流れの一例を示す図である。
【００６２】
図１及び図６を参照すると、相談員端末装置５０は、通信販売制御装置１０から通信手段を介して受ける指令に基づいて、通信販売の利用に関する情報を通信販売制御装置１０から受信して画面に表示し相談員に知らせ（Ｓ２２）、相談員が入力した情報を通信手段を介して通信販売制御装置１０が指定する移動体通信端末装置２０へ電子メールで送信する。また、通信販売制御装置１０が指定する移動体通信端末装置２０との間に通信手段を介する通話路を設定し相談員が前記の移動体通信端末装置２０の利用者と通話可能にする装置である。
【００６３】
また、本実施の形態においては、移動体通信端末装置２０の表示部の表示の中に図３に例示するように相談員呼出しボタン２２を設け、利用者が前記相談員呼出ボタンをクリック等の方法で選択すると該移動体通信端末装置２０が通信販売制御装置１０へ相談員呼出ボタンが選択されたことを通知する機能を付加して構成する。また、通信販売制御装置１０には前記の通知を受けると相談員端末装置５０へ前記の移動体通信端末装置２０の電話番号や電子メールアドレスと、相談員呼出ボタンがクリックされたとき扱われていた利用者の情報と商品番号等の情報を送信する機能を付加して構成する。また、相談員端末装置５０には、通信販売制御装置１０から前記の情報を受信すると、受信した前記の情報を表示して相談員に知らせる機能を付加して構成する。また、相談員端末装置５０には、相談員の操作に基づいて前記の移動体通信端末装置２０の電話番号へ自動的に電話を発呼し移動体通信端末装置２０との間に通話路を設定する（Ｓ２３）手段を付加して構成する。
【００６４】
次に本発明の第３の実施の形態による通信販売システムの動作について、図６を参照しながら説明する。
【００６５】
図６を参照すると、利用者が本発明による通信販売システムを利用して商品を購入しようとするときは、本発明の第２の実施の形態にて説明したように、まず、移動体通信端末装置２０から通信販売制御装置１０へ商品リストを要求し送信させる。利用者は送信された商品リストから商品を選択し、商品を注文する前に、選択した商品が自分に相応しいか否かの適合性評価を通信販売制御装置１０へ要求する。通信販売制御装置１０は前記の適合性評価値と利用者が商品を利用する場面を模擬的に画像化した画像を用いて、利用者へ選択した商品が利用者に相応しいか否かの適合性を知らせるが、利用者がそれだけでは判断出来ず、誰かに相談したいと思う場合に、移動体通信端末装置２０の表示部に表示されている相談員呼出ボタンを選択し通信販売制御装置１０へ相談員への相談を要求する（相談員呼び出し要求Ｓ１６）。
【００６６】
通信販売制御装置１０は、演算処理部１４において、相談員呼出ボタンが選択されたことを検出し、空いている相談員端末装置５０へ前記の移動体通信端末装置２０の電話番号や電子メールアドレスと、相談員呼出ボタンがクリックされたとき扱われていた利用者の情報、商品番号、および、適合性評価値と利用者が商品を利用する場面を模擬的に画像化した画像を送信する（Ｓ２１）。
【００６７】
相談員端末装置５０は通信販売制御装置１０から前記の情報を受信すると、受信した情報を表示部に表示して（Ｓ２２）、相談員に知らせる。
【００６８】
相談員は前記の表示を見て、利用者の相談内容をおおよそ理解した後、相談員は相談員端末装置５０を操作して前記の移動体通信端末装置２０の電話番号へ自動的に電話を発呼させ移動体通信端末装置２０を呼び出す（模擬画像データ送信Ｓ２４）。
【００６９】
相談員は相談員端末装置５０に表示されている利用者の情報、商品番号、および、適合性評価値と利用者が商品を利用する場面を模擬的に画像化した画像を見ながら利用者と通話し、また、利用者は、移動体通信端末装置２０の表示部に表示されている商品番号、および、適合性評価値と利用者が商品を利用する場面を模擬的に画像化した画像を見ながら相談員と通話することによって、商品が利用者に相応しいか、他にもっと相応しい商品がないか等を相談する（Ｓ２５）。
【００７０】
また、前記の相談の中では、相談員が利用者の希望を聞きながら積極的に別の商品を選択し画像で見せて利用者へ勧める。また、利用者は流行情報や商品の取り扱い方などの情報を相談員からマンツーマンで聞くなどが可能になる。利用者は店頭販売で商品を購入するのと変わらない安心感をもって商品を購入可能になる。
【００７１】
（第４の実施の形態）
次に、本発明の第４の実施の形態について図１を参照しながら説明する。
【００７２】
本発明による通信販売システムは、通信販売制御装置１０、移動体通信端末装置２０、入出庫管理装置３０、代金決済装置４０の他に、錠管理装置６０と錠付戸棚７０を付加し、これらの装置の間を通信手段で接続して構成する。
【００７３】
通信販売制御装置１０は、本発明の第１の実施の形態にて説明したように、演算処理部１４、利用者データファイル１１、商品データファイル１２、利用傾向統計データファイル１３、および、通信制御部１５から構成さる。また、演算処理部１４はプロセッサやメモリ、および、ソフトウエアから構成され、利用者データファイルと商品データファイルへのデータ入出力を行い、また、通信制御部１５と通信網を介して他の装置と商品の販売と代金決済に関わるデータの交換を行う。さらに、本発明においては、錠付き戸棚７０の施錠または解錠の制御を行う錠管理装置６０と錠付き戸棚７０の利用条件を設定する移動体通信端末装置２０との間の仲介処理を行う。また、錠管理装置６０からの錠付き戸棚７０の利用料金計算を代金決済装置４０へ仲介する処理を行う。
【００７４】
移動体通信端末装置２０は携帯電話などの移動体通信を利用して、通信販売制御装置１０や相談員端末装置５０との間で電子メールの交換や音声通信を行い、通信販売の商品注文の操作や通信販売の商品の購入に関する相談を行うための操作や通話を行うために使用するほかに、通信販売で注文した商品を錠付き戸棚７０を経由して受け渡すとき、どこの場所の錠付き戸棚７０を経由して商品を受け取るかを指定する指令や電子メールを通信販売制御装置１０へ送信したり、また、前記の錠付き戸棚７０を解錠させて商品を受け取る行為を誰に、または、どの移動体通信端末装置２０にさせるかを指定する錠付き戸棚７０の利用条件を通信販売制御装置１０に対して行い、また、錠付き戸棚７０を解錠させて商品を受け取るための操作を行うための装置である。
【００７５】
錠付き戸棚７０は、複数の格納庫を備え、錠管理装置６０から通信手段を介して指令を受けて格納庫の扉の電気錠を施錠または解錠させる装置である。
【００７６】
錠管理装置６０は、複数の錠付き戸棚７０と通信手段を介してデータの交換を行い、錠付き戸棚７０の施錠または解錠の制御や錠付き戸棚７０の使用状態の管理などを行う。錠管理装置６０は、移動体通信端末装置２０から通信手段を介して受ける指令に基づいて錠付き戸棚７０の各格納庫の扉の施錠または解錠指令を行うほかに、前記の施錠または解錠指令を発信した移動体通信端末装置２０へ錠付き戸棚７０の格納庫の利用に関する電子メールを送信する。また、前記の施錠指令を発令した移動体通信端末装置２０から通信手段を介して受ける指令に基づいて、他の移動体通信端末装置２０へ錠付き戸棚７０の格納庫の利用に関する電子メールを送信し、前記他の移動体通信端末装置２０から通信手段を介して受ける解錠指令に基づいて前記の施錠された格納庫を備える錠付き戸棚７０へ、該格納庫を解錠させる解錠指令を送信し格納庫の扉を解錠させる。また、錠管理装置６０は各格納庫の施錠から解錠までの使用時間に基づいて利用料金を計算し、通信手段を介して代金決済装置へ利用料金のデータを送信する。また、錠管理装置６０は移動体通信端末装置２０から通信手段を介して受ける指令に基づいて相談員端末装置５０へ相談指令を送信し、相談員端末装置５０と該移動体通信端末装置２０との間の通話または電子メールによる情報交換を可能にさせる装置である。
【００７７】
入出庫管理装置４０は、本発明の第１の実施の形態にて説明したように、通信販売の商品の販売や仕入れを管理し、通信販売制御装置１０へ商品の在庫に関するデータを送信し、また、通信販売制御装置１０から通信販売に関するデータを受信し商品の出荷指示を行う装置である。
【００７８】
代金決済装置４０は、本発明の第１の実施の形態にて説明した、通信販売制御装置１０からの要求に基づいて、通信販売の利用者の支払い能力を調べ、その結果を通信販売制御装置１０へ通知し、また、通信販売制御装置１０からの要求に基づいて、通信販売の商品の代金を利用者の口座から引き落とす処理を行うほかに、利用者が通信販売の商品を前記の錠付き戸棚を経由して受け取る場合には、通信販売制御装置１０、または、錠管理装置６０からの要求に基づいて錠付き戸棚７０の利用代金を利用者の口座から引き落とす処理を行う装置である。
【００７９】
相談員端末装置５０は、錠管理装置６０から通信手段を介して受ける指令に基づいて、錠付戸棚７０の利用に関する情報を錠管理装置６０から受信して画面に表示し相談員に知らせ、相談員が入力した情報を通信手段を介して錠管理装置６０が指定する移動体通信端末装置２０へ電子メールで送信する。また、錠管理装置６０が指定する移動体通信端末装置２０との間に通信手段を介する通話路を設定し相談員が前記の移動体通信端末装置２０の利用者と通話可能にする装置である。
【００８０】
前記の各装置間の通信手段は電話、ＩＳＤＮ、インターネット、携帯電話、等の回線が使用されるほか、移動体通信端末装置と錠付き戸棚との間には非接触型ＩＣカードの規格に基づいた無線による通信手段２が設けられる。
【００８１】
次に動作について説明する。
【００８２】
利用者が本発明による通信販売システムを利用して商品を購入しようとするときは、まず、利用者が移動体通信端末装置２０の操作部を用いて通信販売制御装置１０へ商品リストを要求し送信させる。利用者は送信された商品リストから商品を選択し、移動体通信端末装置２０の操作部を用いて注文の操作を行って注文したり、また、商品を注文する前に、選択した商品が自分に相応しいか否かの適合性評価を移動体通信端末装置２０の操作部を用いて通信販売制御装置１０へ要求する。通信販売制御装置１０は前記の適合性評価値と利用者が商品を利用する場面を模擬的に画像化した画像を利用者の移動体通信端末装置２０へ送信し、利用者が移動体通信端末装置２０に表示された適合性の評価値を見てその商品を注文するか否かを決める。注文する場合は、移動体通信端末装置２０の操作部を用いて注文の操作を行う。利用者は前記の注文の操作と一緒に、注文した商品の受け渡しに身近に設置されている錠付き戸棚を経由するように指定する操作を行う。
【００８３】
錠付き戸棚７０を経由して商品を受け取るように指定する操作は、例えば、使用する錠付き戸棚７０の場所、解錠に使用する移動体通信端末装置２０の電話番号や電子メールアドレス、錠付き戸棚７０の利用代金の支払い方法等を移動体通信端末装置２０の操作部を用いて入力し通信販売制御装置１０へ送信する。通信販売制御装置１０は前記の指定を受信し、指定された場所の錠付き戸棚７０へ商品を配送し格納するように入出庫管理装置３０へ指令する。商品が指定された場所の錠付き戸棚７０へ配送され格納されると、錠管理装置６０は通信販売制御装置１０へ商品の配送完了を通知し、通信販売制御装置１０は解錠に使用すると指定された電話番号や電子メールアドレスの移動体通信端末装置２０宛に商品が格納されたことを通知する。利用者は、商品が格納された錠付き戸棚７０へ行き、前記の解錠に使用すると指定された電話番号や電子メールアドレスの移動体通信端末装置２０から通信販売制御装置１０、または、錠管理装置６０へ錠付き戸棚を解錠させる操作を行う。錠付き戸棚が解錠されたら、利用者は注文した商品の現品確認を行い商品を受け取る（現品確認手段）。また、利用者が商品を受け取る前に商品を確認可能とする場合は、錠付き戸棚の扉を透視可能としておき、解錠する前に利用者が商品の色、形などを確認可能とする。利用者が商品を受け取らない場合は、利用者は受け取らない旨の電子メールを通信販売制御装置１０へ送信する。また、解錠した後に利用者が商品の不具合などを発見した場合は、利用者は前記の解錠に使用すると指定された電話番号や電子メールアドレスの移動体通信端末装置２０から通信販売制御装置１０へ不具合の旨の電子メールを通信販売制御装置１０へ送信する。通信販売制御装置１０は不具合の内容を確認し、返品に使用する錠付き戸棚の場所を電子メールで前記の解錠に使用すると指定された電話番号や電子メールアドレスの移動体通信端末装置２０へ通知する（商品返品手段）。
【００８４】
利用者は指定された錠付き戸棚を前記の方法で解錠して商品を格納し、通信販売制御装置１０、または、錠管理装置６０へ錠付き戸棚を施錠させる操作を行う（商品受取手段）。
【００８５】
前記の方法によれば、利用者は、通信販売システムと一体化されて構成された商品の受渡し手段として錠付き戸棚を利用可能となり、店頭で商品を確認して購入するのと変わらない安心感をもって通信販売を利用可能になる。
【００８６】
（第５の実施の形態）
次に本発明の第５の実施の形態について図１を参照しながら説明する。
【００８７】
本発明による通信販売システムは、本発明の第４の実施の形態について説明した通信販売システムにおいて、錠付き戸棚７０に商品の広告並びに宣伝を行う画像表示装置７１を付加し、錠付き戸棚７０の格納庫ごとに非接触型ＩＣカード８０用のカードリーダーを付加し、非接触型ＩＣカード８０をカードリーダーから読み込ませることによって錠付き戸棚７０の施錠並びに解錠を行うように構成する。また、前記において錠管理装置６０、または、通信販売制御装置１０は非接触型ＩＣカード８０から読み取った非接触型ＩＣカード８０の識別コードに対応して予め記憶している移動体通信端末装置２０へ電子メールを送信し、または、発呼して通話を可能にする。非接触型ＩＣカード８０は前記カードリーダーが発生する交流磁界をアンテナコイルで受けて電力を発生し自己の回路を動作させる。また、非接触型ＩＣカード８０は情報処理機能を搭載し前記の交流磁界による電磁結合に情報信号を重畳してカードリーダーとの間で制御用とデータ用のディジタル信号を送受する。非接触型ＩＣカード８０はその情報処理機能と記憶機能を使ってカード自体での料金支払いができるカードである。
【００８８】
錠管理装置６０は錠付き戸棚の７０格納庫ごとに付された格納庫の番号に対応して、該格納庫を施錠した非接触型ＩＣカード８０の識別コードを記憶している。格納庫が前記の記憶されている識別コードの非接触型ＩＣカード８０で解錠されると錠管理装置６０は非接触型ＩＣカード８０から錠付き戸棚７０の利用代金を引き落とし、該格納庫の識別コードに対応して記憶されていた非接触型ＩＣカード８０の識別コードを消去し格納庫を未使用状態とする。未使用状態にあった格納庫が新たに非接触型ＩＣカードにより施錠されると、該施錠に使われた非接触型ＩＣカード８０の識別コードが該格納庫の識別コードに対応して記憶される。錠管理装置６０は、非接触型ＩＣカード８０による錠付き戸棚７０の施錠、または、解錠が行われると、施錠、または、解錠を行った非接触型ＩＣカード８０の識別コードに対応して予め記憶している電子メールアドレス、または、電話番号の移動体通信端末装置２０へ商品の広告並びに宣伝を行うための電子メールを送信し、または、発呼して音声にて商品の広告並びに宣伝を流す。
【００８９】
（第６の実施の形態）
次に本発明の第６の実施の形態について説明する。
【００９０】
本発明による通信販売システムは、本発明の第６の実施の形態について説明した通信販売システムにおいて、非接触型ＩＣカード８０をカードリーダーで読み取った同じ時刻に前記画像表示装置に表示中の広告並びに宣伝中の商品と、その前後に広告並びに宣伝を表示した商品のリストを前記移動体端末装置２０へ送信する機能を錠付き戸棚、または、錠管理装置６０に付加して構成する。移動体通信端末装置２０の利用者は前記により受信した商品リストを表示部に表示させ、スクロールして見られる機能を移動体通信端末装置２０に付加して構成する。
【００９１】
本発明により、錠付き戸棚７０の利用者が、錠付き戸棚７０を施錠、または、解錠したとき前記画像表示装置８０に表示されていて僅かでも印象に残った広告宣伝の商品を、後で移動体通信端末装置２０の表示部に商品リストで表示させて確認可能になる。また、前記商品に前後して広告宣伝が表示された商品も表示部のスクロールから見ることが出来、前記画像表示装置の表示による広告宣伝の効果を高めることが出来る。
【００９２】
（第７の実施の形態）
次に、本発明の第７の実施の形態について説明する。
【００９３】
本発明による通信販売システムは、本発明の第６の実施の形態について説明した通信販売システムにおいて、錠付き戸棚７０、または、錠管理装置６０から移動体通信端末装置２０へ送信する商品リストを前記画像表示装置７１に表示する広告宣伝の画像の縮小版に置き換えて構成する。
【００９４】
本発明により、錠付き戸棚７０の利用者が、錠付き戸棚７０を施錠、または、解錠したとき前記画像表示装置７１に表示されていた広告宣伝の画像を、後で移動体通信端末装置２０の表示部に表示させて確認可能になり、前記画像表示装置７１の表示による広告宣伝の効果を高めることが出来る。
【００９５】
以上、本発明の実施の形態について説明したが、通信販売制御装置１０、錠管理装置６０、入出庫管理装置３０、等の装置の機能分担は、本実施例における例示に限定されない。また、装置間の通信接続の方法も本実施例における例示に限定されない。
【００９６】
【発明の効果】
以上説明したように、本発明によれば、通信販売の利用者が商品を特定する前に適合性確認手段を通して利用者と商品の適合性を確認可能になる。また、利用者が商品を利用する場面を模擬的に画像化して見ることによって商品が自分に相応しいか否かがより良く確認可能になる。また、移動体通信端末装置から相談員を呼び出し商品が自分に相応しいか否かを相談員に問い合わせ可能になる。また、注文した商品を錠付き戸棚経由で受け取る設定が可能になる。また、錠付き戸棚の施錠、または、解錠を行なった非接触型ＩＣカードの識別コードに対応する電子メールアドレス、または、電話番号の移動体通信端末装置へ電子メール送信、または、通話を可能にし、商品リストや広告宣伝の縮小画像を送信し表示させることが可能になり、通信販売、通信販売の商品の受け取り、および、商品の広告宣伝が一体化し利便性が向上するという効果がある。
【図面の簡単な説明】
【図１】本発明の第１の実施の形態による通信販売システムの構成の説明に供せられるブロック図である。
【図２】本発明の第１の実施の形態による通信販売システムの動作の流れの一例を示す図である。
【図３】図１の通信販売制御装置の商品リストの一例を示す図である。
【図４】利用者の年齢のデータが利用傾向統計データファイル１３のデータの分布の中心値からから偏差している程度を例示する図である。
【図５】図１の通信販売制御装置１０が移動体通信端末装置２０に表示させる適合性の判定画面の一例を示す図である。
【図６】本発明の第３の実施の形態による通信販売システムの動作の流れの一例を示す図である。
【符号の説明】
１　　通信販売システム
２　　通信手段
１０　　通信販売制御装置
１１　　利用者データファイル
１２　　商品データファイル
１３　　利用傾向統計データファイル
１４　　演算処理部
１５　　通信制御部
２０　　移動体通信端末装置
２１　　商品リスト画面
２２　　相談員呼出しボタン
３０　　入出庫管理装置
４０　　代金決済装置
５０　　相談員端末装置
６０　　錠管理装置
７０　　錠付き戸棚
７１　　画像表示装置
８０　　非接触型ＩＣカード
【図１】
2004021485.tif 000003
【図２】
2004021485.tif 000004
【図３】
2004021485.tif 000005
【図４】
2004021485.tif 000006
【図５】
2004021485.tif 000007
【図６】
2004021485.tif 000008